(57)【要約】【課題】接続状態で接続部位と他の部位との肉厚を一定としたまま、延在方向にガタが発生し難い接続状態のまま持ち運ぶことができるばかりでなく、携帯し易い分割状態で持ち運ぶこともできるプレート接続部構造を提供する。【解決手段】雌側係合部２は、表面に所定周回形状の雌側係合凹部２ａ、雌側係合凹部２ａの内側に雌側係合孔部２ｂ、雌側係合凹部２ａの内側表面に雌側係合凸部２ｃ、雌側係合凸部２ｃの中心寄りに第２の雌側係合孔部２ｄ、が形成され、雄側係合部３は、裏面に所定周回形状の雄側係合凹部３ａ、雄側係合凹部３ａの内側に雄側係合孔部３ｂ、雄側係合凹部３ａの内側裏面に雄側係合凸部３ｃ、雄側係合凸部３ｃの中心寄り表面に第２の雄側係合凸部３ｄ、が形成されている。【選択図】      図４
2010068894.tif 000002
【特許請求の範囲】
【請求項１】
弾性を有する帯状の平板プレートの端部に形成された雌側係合部と雄側係合部とを互いに係合することで接続されるプレート接続部構造であって、
前記雌側係合部は、前記平板プレートの表面に所定周回形状に形成された雌側係合凹部と、該雌側係合凹部の内側に所定形状に形成された雌側係合孔部と、前記雌側係合凹部の内側表面に前記雌側係合孔部と対称形状に形成され且つその一部が前記雌側係合孔部に自由舌片状に臨む雌側係合凸部と、該雌側係合凸部の中心寄りに形成された第２の雌側係合孔部と、を備え、
前記雄側係合部は、前記平板プレートの裏面に所定周回形状に形成された雄側係合凹部と、該雄側係合凹部の内側に所定形状に形成された雄側係合孔部と、前記雄側係合凹部の内側裏面に前記雄側係合孔部と対称形状に形成され且つその一部が前記雄側係合孔部に自由舌片状に臨む雄側係合凸部と、該雄側係合凸部の中心寄り表面に形成された第２の雄側係合凸部と、を備え、
前記雌側係合部と前記雄側係合部とを互いに付き合わせ状態で重ねることによって、前記雌側係合凹部と前記雄側係合凹部、前記雌側係合凸部と前記雄側係合孔部、前記雌側係合孔部と前記雄側係合凸部、とが互いに一致状態で弾発係合すると共に、前記第２の雌側係合孔部と前記第２の雄側係合凸部とが係合し、前記雌側係合部と前記雄側係合部とが互いに抜け止め状態で接続されることを特徴とするプレート接続部構造。
【請求項２】
前記第２の雄側係合凸部には、その先端側にテーパ面が形成されていることを特徴とする請求項１に記載のプレート接続部構造。
【請求項３】
前記雌側係合部と前記雄側係合部とは、前記各平板プレートを互いに逆方向に捻りつつ離間することによって、弾性変形して互いに係合状態が解除されることを特徴とする請求項１又は請求項２に記載のプレート接続部構造。
【請求項４】
前記雄側係合部と前記雌側係合部とが一つの前記平板プレートの両端にそれぞれ形成され、複数の前記平板プレートとで連続的に接続可能となっていることを特徴とする請求項１乃至請求項３の何れかに記載のプレート接続部構造。
【請求項５】
前記平板プレートを平面視円弧形状に形成したことを特徴とする請求項４に記載のプレート接続部構造。
【請求項６】
請求項５に記載の前記平板プレートを複数用いて各雌雄側係合部を接続することによって所定内径の円環とされたことを特徴とする投擲競技用サークル。
【発明の詳細な説明】
【技術分野】
【０００１】
本発明は、雌雄の異なる係合部同士を係合することによって接続されるプレート接続部構造並びにこのプレート接続部構造を採用した複数プレートの接続からなる投擲競技用サークルに関する。
【背景技術】
【０００２】
従来から、球技スポーツの一種であるペタンクでは、ジャンケンやトスによって先攻・後攻の各チームを決め、その中の選手が直径３５〜５０ｃｍのサークルを描いた後、先攻チームの一人がサークル内からビュット（目標球）を投擲し、そのビュットが６〜１０ｍの範囲内にとまった場合に、サークルを基点としてビュットに向けて所定のボールを投げ合っている（例えば、非特許文献１参照）。
【０００３】
この際、サークルは、先攻チームの一人が地面に手書きをするため、その度に直径や形状がままならず、面倒であるうえ、プレーヤはサークル内で立ち姿勢又は座り姿勢の状態でボールを投擲することから、体格等によっては不利なゲームを強いられる等の問題が生じていた。
【０００４】
そこで、樹脂等によって保形性高いる略真円形状のサークルを形成する等が考えられるが、直径５０ｃｍのサークルとした場合、大型なために持ち運びが面倒となってしまう。
【０００５】
一方、複数のプレート等の端部同士を接続するプレート構造にあっては、例えば、化粧材の各端部を雌雄の異なる係合部同士で接続するもの（例えば、特許文献１参照）や、鉄道玩具用レールの各端部を雌雄の異なる係合部同士で接続するもの（例えば、特許文献２参照）等のように各種提案されている。
【非特許文献１】http://www.znet.or.jp/petanque/
【特許文献１】特開２００７−２２４５２３号公報
【特許文献２】特開平０８−０３３７７１
【発明の開示】
【発明が解決しようとする課題】
【０００６】
ところが、上記の如く構成されたプレート接続部構造にあっては、接続部位と他の部位との肉厚を一定とした状態で複数連結を行うには、延在方向にガタが発生し易いばかりでなく、接続状態のまま持ち運び等を行った場合には自重によって係合状態が解除されてばらばらとなり易いという問題が生じていた。
【０００７】
そこで、本発明は、上記事情を考慮し、接続状態で接続部位と他の部位との肉厚を一定としたまま、延在方向にガタが発生し難い接続状態のまま持ち運ぶことができるばかりでなく、携帯し易い分割状態で持ち運ぶこともできるプレート接続部構造を提供することを目的とする。
【課題を解決するための手段】
【０００８】
本発明のプレート接続部構造は、弾性を有する帯状の平板プレートの端部に形成された雌側係合部と雄側係合部とを互いに係合することで接続されるプレート接続部構造であって、前記雌側係合部は、前記平板プレートの表面に所定周回形状に形成された雌側係合凹部と、該雌側係合凹部の内側に所定形状に形成された雌側係合孔部と、前記雌側係合凹部の内側表面に前記雌側係合孔部と対称形状に形成され且つその一部が前記雌側係合孔部に自由舌片状に臨む雌側係合凸部と、該雌側係合凸部の中心寄りに形成された第２の雌側係合孔部と、を備え、前記雄側係合部は、前記平板プレートの裏面に所定周回形状に形成された雄側係合凹部と、該雄側係合凹部の内側に所定形状に形成された雄側係合孔部と、前記雄側係合凹部の内側裏面に前記雄側係合孔部と対称形状に形成され且つその一部が前記雄側係合孔部に自由舌片状に臨む雄側係合凸部と、該雄側係合凸部の中心寄り表面に形成された第２の雄側係合凸部と、を備え、前記雌側係合部と前記雄側係合部とを互いに付き合わせ状態で重ねることによって、前記雌側係合凹部と前記雄側係合凹部、前記雌側係合凸部と前記雄側係合孔部、前記雌側係合孔部と前記雄側係合凸部、とが互いに一致状態で弾発係合すると共に、前記第２の雌側係合孔部と前記第２の雄側係合凸部とが係合し、前記雌側係合部と前記雄側係合部とが互いに抜け止め状態で接続されることを特徴とする。
【０００９】
この際、前記第２の雄側係合凸部には、その先端側にテーパ面が形成されているのが好ましい。
【００１０】
また、前記雌側係合部と前記雄側係合部とは、前記各平板プレートを互いに逆方向に捻りつつ離間することによって、弾性変形して互いに係合状態が解除されるのか好ましい。
【００１１】
さらに、前記雄側係合部と前記雌側係合部とが一つの前記平板プレートの両端にそれぞれ形成され、複数の前記平板プレートとで連続的に接続可能となっているのが好ましい。
【００１２】
この際、前記平板プレートを平面視円弧形状に形成することにより、前記平板プレートを複数用いて各雌雄側係合部を接続することによって所定内径の円環形状の投擲競技用サークルとすることができる。
【発明の効果】
【００１３】
本発明のプレート接続部構造は、接続状態で接続部位と他の部位との肉厚を一定としたまま、延在方向にガタが発生し難い接続状態のまま持ち運ぶことができるばかりでなく、携帯し易い分割状態で持ち運ぶこともできる。
【発明を実施するための最良の形態】
【００１４】
次に、本発明の一実施形態に係るプレート接続部構造について、図面を参照して説明する。
【００１５】
図１は本発明の一実施形態に係るプレート接続部構造を示す平板プレートの平面図、図２は本発明の一実施形態に係るプレート接続部構造における雌側係合部を示し、（Ａ）は要部の平面図、（Ｂ）は要部の断面図、図３は本発明の一実施形態に係るプレート接続部構造における雄側係合部を示し、（Ａ）は要部の平面図、（Ｂ）は要部の断面図、図４は本発明の一実施形態に係るプレート接続部構造におけるプレート接続状態の要部の断面図、
図５は本発明の一実施形態に係る平板プレートを接続利用した投擲競技用サークルの説明図である。
【００１６】
尚、以下の実施の形態においては、１枚の平板プレートの両端にそれぞれ雌雄の異なる係合部を形成して多数の平板プレートの接続を可能とすると共に、各々を円弧形状とすることにより円環状のサークルとすることができるものとして説明するが、特にこの形態に限定されるものではない。
【００１７】
図１において、平板プレート１は、樹脂等によって全体の厚さを３〜５ｍｍとされた円弧形状を呈しており、その一端には雌側係合部２が、その他端には雄側係合部３がそれぞれ形成され、同一の平板プレート１若しくは、同一の雌雄側係合部２，３を係合することにより接続（連結）が可能となっている。
【００１８】
雌側係合部２は、図２（Ａ），（Ｂ）に示すように、平板プレート１の表面に所定周回形状（例えば、小判形状やトラック形状）に形成された雌側係合凹部２ａと、雌側係合凹部２ａの内側に所定形状に形成された雌側係合孔部２ｂと、雌側係合凹部２ａの内側表面に雌側係合孔部２ｂと対称形状に形成され且つその一部が雌側係合孔部２ｂに自由舌片状に臨む雌側係合凸部２ｃと、雌側係合凸部２ｃの中心寄りに形成された第２の雌側係合孔部２ｄと、を備えている。尚、上述した凹凸は、平板プレート１の厚さ（３〜５ｍｍ）の約半分を基準として形成されている。
【００１９】
雄側係合部３は、図３（Ａ），（Ｂ）に示すように、平板プレート１の裏面に所定周回形状（例えば、小判形状やトラック形状）に形成された雄側係合凹部３ａと、雄側係合凹部３ａの内側に所定形状に形成された雄側係合孔部３ｂと、雄側係合凹部３ａの内側裏面に雄側係合孔部３ｂと対称形状に形成され且つその一部が雄側係合孔部３ｂに自由舌片状に臨む雄側係合凸部３ｃと、雄側係合凸部３ｃの中心寄り表面に形成された第２の雄側係合凸部３ｄと、を備えている。また、第２の雄側係合凸部３ｄの先端側には、主として係合操作時における雌側係合凸部２ｃの弾性変形を容易とするようにテーパ面３ｅが形成されている。尚、上述した凹凸は、平板プレート１の厚さ（３〜５ｍｍ）の約半分を基準として形成されている。
【００２０】
これにより、雌側係合部２と雄側係合部３とを互いに付き合わせ状態で重ねることによって、図４に示すように、雌側係合凹部２ａと雄側係合凹部３ａ、雌側係合凸部２ｃと雄側係合孔部３ｂ、雌側係合孔部２ｂと雄側係合凸部３ｃ、とが互いに一致状態で弾発係合すると共に、第２の雌側係合孔部２ｄと第２の雄側係合凸部３ｄとが係合し、雌側係合部２と雄側係合部３とが互いに抜け止め状態で接続される。
【００２１】
また、雌側係合部２と雄側係合部３とは、各平板プレート１を互いに逆方向に捻りつつ離間することによって、弾性変形して互いに係合状態が解除される。
【００２２】
ところで、このような平板プレート１は、円環状に複数連結することにより、例えば、図５に示す、投擲競技としてのペタンク用のサークルＳとして利用することができ、競技場まではばらばら状態で搬送することにより持ち運び性が向上され、現場にて容易に組み立て並びに分解を行うことができる。
【００２３】
また、円弧形状や長さを変えることにより、異なった大きさのサークスＳへの対応も可能となる。尚、図５において、Ｖはビュット（目標球）、Ｂはボールである。
【００２４】
このように、本発明のプレート接続部構造によれば、雌雄の異なる係合部として、雌側係合部２と雄側係合部３のそれぞれに、係合時には互いに略一致する形状の係合部位を複数配置すると共に、これらをサンドイッチ状に互いに挟み込みように弾発係合することによって、強固な係合状態を維持することができ、接続状態で接続部位と他の部位との肉厚を一定としたまま、延在方向にガタが発生し難い接続状態のまま持ち運ぶことができるばかりでなく、携帯し易い分割状態で持ち運ぶこともできる。
【００２５】
尚、上記実施の形態では、樹脂で説明したが、弾性変形が可能である程度の硬度（保形性）を備えていれば、ゴム等でも良い。また、各係合部、例えば、雌側係合凹部２ａと雄側係合凹部３ａとの形状は、上述したトラック形状に限定されるものではなく、平板プレート１の端部形状に合わせて、矩形等としても良い。また、上述した表裏は限定するものでは無く、逆でも良い。
【図面の簡単な説明】
【００２６】
【図１】本発明の一実施形態に係るプレート接続部構造を示す平板プレートの平面図である。
【図２】本発明の一実施形態に係るプレート接続部構造における雌側係合部を示し、（Ａ）は要部の平面図、（Ｂ）は要部の断面図である。
【図３】本発明の一実施形態に係るプレート接続部構造における雄側係合部を示し、（Ａ）は要部の平面図、（Ｂ）は要部の断面図である。
【図４】本発明の一実施形態に係るプレート接続部構造におけるプレート接続状態の要部の断面図である。
【図５】本発明の一実施形態に係る平板プレートを接続利用した投擲競技用サークルの説明図である。
【符号の説明】
【００２７】
１…平板プレート
２…雌側係合部
２ａ…雌側係合凹部
２ｂ…雌側係合孔部
２ｃ…雌側係合凸部
２ｄ…第２の雌側係合孔部
３…雄側係合部
３ａ…雄側係合凹部
３ｂ…雄側係合孔部
３ｃ…雄側係合凸部
３ｄ…第２の雄側係合凸部
３ｅ…テーパ面
【図１】
2010068894.tif 000003
【図２】
2010068894.tif 000004
【図３】
2010068894.tif 000005
【図４】
2010068894.tif 000006
【図５】
2010068894.tif 000007